(57)【特許請求の範囲】
【請求項１】
体毛処理部によって肌面の体毛を除去する体毛処理装置において、
体毛除去の際に用いられる処理剤を肌面に供給する剤供給部と、
肌面に残された前記処理剤を除去する剤除去部と、
を備え、
前記体毛処理部は、肌面に対向した状態で体毛を除去し、
前記剤供給部は、前記体毛処理部と共に肌面に対向可能な吐出口を有し、この吐出口から肌面に前記処理剤を供給し、
前記剤除去部は、前記体毛処理部と共に肌面に対向可能な除去対向部を有し、この除去対向部に対向する肌面に対して前記処理剤の除去処理を行い、
前記吐出口と前記除去対向部との間に前記体毛処理部が配置されていることを特徴とする体毛処理装置。
【請求項２】
前記体毛処理部は、複数設けられ、
少なくとも一つの前記体毛処理部が列の端に位置する配置で前記体毛処理部と前記吐出口と前記除去対向部とが並列配置されていることを特徴とする請求項１に記載の体毛処理装置。
【請求項３】
前記除去対向部は、複数設けられ、これらの除去対向部の間に前記吐出口及び前記体毛処理部が配置されていることを特徴とする請求項１又は２に記載の体毛処理装置。
【請求項４】
前記体毛処理部は、外刃とこの外刃の内側に配置されて往復動する内刃とにより体毛を切断し、
前記除去対向部は、前記外刃及び前記吐出口を囲って配置されていることを特徴とする請求項１ないし３の何れか一つに記載の体毛処理装置。
【請求項５】
前記体毛処理部は、外刃とこの外刃の内側に配置されて回転動する内刃とにより体毛を切断し、
前記外刃が前記吐出口の周囲に位置する一方、前記除去対向部が前記外刃の周囲に位置していることを特徴とする請求項１に記載の体毛処理装置。
【請求項６】
前記除去対向部は、吸入口であり、
前記剤除去部は、ポンプを用いて前記吸入口から前記処理剤を吸入し、吸入した処理剤を回収容器に貯蔵することを特徴とする請求項１ないし５の何れか一つに記載の体毛処理装置。
【請求項７】
前記剤除去部は、外部装置による洗浄を受け付ける被洗浄構造を有する一方、前記剤供給部は、前記処理剤を貯蔵する剤容器と、この剤容器への前記処理剤の供給を受け付ける被供給構造とを有することを特徴とする請求項１ないし６の何れか一つに記載の体毛処理装置。
【発明の詳細な説明】
【技術分野】
【０００１】
本発明は、電気かみそりや脱毛装置などの体毛処理装置に関する。
【背景技術】
【０００２】
従来、例えば、電気かみそりにおいて、シェービングの際に用いられるシェービングローションなどの処理剤を肌面に供給する構成を備えたものが知られている（例えば、特許文献１参照）。このような装置では、処理剤を肌面に供給することにより、肌面に対する刃の滑りを良くし、快適なシェービング感を得られるようにしている。
【特許文献１】特表２００３−５２５１７４号公報
【発明の開示】
【発明が解決しようとする課題】
【０００３】
しかしながら、このように、シェービング時に肌面に処理剤を供給した場合、シェービング後に処理剤が肌面に残ってしまい、濡れ感や冷たさ感などの不快感を使用者に与えてしまうという問題がある。
【０００４】
本発明の目的は、体毛処理装置において、肌面に供給した処理剤による使用者の不快感を軽減することである。
【課題を解決するための手段】
【０００５】
請求項１に記載の発明は、体毛処理部によって肌面の体毛を除去する体毛処理装置において、体毛除去の際に用いられる処理剤を肌面に供給する剤供給部と、肌面に残された前記処理剤を除去する剤除去部と、を備え、前記体毛処理部は、肌面に対向した状態で体毛を除去し、前記剤供給部は、前記体毛処理部と共に肌面に対向可能な吐出口を有し、この吐出口から肌面に前記処理剤を供給し、前記剤除去部は、前記体毛処理部と共に肌面に対向可能な除去対向部を有し、この除去対向部に対向する肌面に対して前記処理剤の除去処理を行い、前記吐出口と前記除去対向部との間に前記体毛処理部が配置されていることを特徴とする。
【０００７】
請求項２に記載の発明は、請求項１に記載の体毛処理装置において、前記体毛処理部は、複数設けられ、少なくとも一つの前記体毛処理部が列の端に位置する配置で前記体毛処理部と前記吐出口と前記除去対向部とが並列配置されていることを特徴とする。
【０００８】
請求項３に記載の発明は、請求項１又は２に記載の体毛処理装置において、前記除去対向部は、複数設けられ、これらの除去対向部の間に前記吐出口及び前記体毛処理部が配置されていることを特徴とする。
【０００９】
請求項４に記載の発明は、請求項１ないし３の何れか一つに記載の体毛処理装置において、前記体毛処理部は、外刃とこの外刃の内側に配置されて往復動する内刃とにより体毛を切断し、前記除去対向部は、前記外刃及び前記吐出口を囲って配置されていることを特徴とする。
【００１０】
請求項５に記載の発明は、請求項１に記載の体毛処理装置において、前記体毛処理部は、外刃とこの外刃の内側に配置されて回転動する内刃とにより体毛を切断し、前記外刃が前記吐出口の周囲に位置する一方、前記除去対向部が前記外刃の周囲に位置していることを特徴とする。
【００１１】
請求項６に記載の発明は、請求項１ないし５の何れか一つに記載の体毛処理装置において、前記除去対向部は、吸入口であり、前記剤除去部は、ポンプを用いて前記吸入口から前記処理剤を吸入し、吸入した処理剤を回収容器に貯蔵することを特徴とする。
【００１２】
請求項７に記載の発明は、請求項１ないし６の何れか一つに記載の体毛処理装置において、前記剤除去部は、外部装置による洗浄を受け付ける被洗浄構造を有する一方、前記剤供給部は、前記処理剤を貯蔵する剤容器と、この剤容器への前記処理剤の供給を受け付ける被供給構造とを有することを特徴とする。
【発明の効果】
【００１３】
請求項１に記載の発明によれば、肌面に残された処理剤が剤除去部により除去されるので、肌面に供給した処理剤による使用者の不快感を軽減することができる。また、肌面に残された処理剤が剤除去部により除去されるので、処理剤によって顔や衣服が汚れることを防止することができる。
【００１４】
また、吐出口と除去対向部との間に体毛処理部が配置されていることにより、体毛処理装置を肌面に沿って移動させて除毛処理を行うときに、吐出口を前側、除去対向部を後側にして体毛処理装置を移動させることで、吐出口と除去対向部との間に位置する体毛処理部と肌面との間に確実に処理剤を介在させることができ、これにより、肌面に対する体毛処理部の接触状態を良好なものとすることができると共に、体毛処理部の後方に位置する不要な処理剤を剤除去部によって除去することができる。
【００１５】
請求項２に記載の発明によれば、体毛処理部が列の端に位置していることにより、この体毛処理部に対する視認性が良くなる。また、体毛処理部が列の端に位置していることにより、この体毛処理部によって、鼻下などのキワ部の肌面に対する除毛処理を容易に行うことができ、キワ部の除毛処理においてもきれいな仕上がりを得ることができる。
【００１６】
請求項３に記載の発明によれば、除去対向部の間に吐出口及び体毛処理部が配置されていることにより、それら除去対向部の対向方向に沿って体毛処理装置を移動させて除毛処理を行うことにより、どちら側の除去対向部を先頭にして体毛処理装置を移動させても剤除去部によって肌面の処理剤を確実に除去することができる。
【００１７】
請求項４に記載の発明によれば、除去対向部が、外刃及び吐出口を囲って配置されていることにより、どの方向に体毛処理装置を移動させても除去対向部によって肌面の処理剤を確実に除去することができ、よって、使用者は処理剤を除去させるために体毛処理装置の移動方向を意識する必要がない。
【００１８】
請求項５に記載の発明によれば、外刃が吐出口の周囲に位置する一方、除去対向部が外刃の周囲に位置していることにより、どの方向に体毛処理装置を移動させても剤除去部によって肌面の処理剤を確実に除去することができ、よって、使用者は処理剤を除去させるために体毛処理装置の移動方向を意識する必要がない。
【００１９】
請求項６に記載の発明によれば、ポンプを用いて吸入口から処理剤を吸入することにより、肌面から確実に処理剤を除去できる。また、吸入した処理剤を回収容器に貯蔵することにより、処理剤が肌面へ再付着することを防止することができる。
【００２０】
請求項７に記載の発明によれば、剤除去部を外部装置によって洗浄することができると共に、外部装置によって剤供給部に処理剤を供給することができるので、それらの作業を容易に行うことができる。
【発明を実施するための最良の形態】
【００２１】
[第１の実施形態]
本発明の第１の実施形態を図１ないし図６に基づいて説明する。本実施形態は、体毛処理装置として電気かみそりへの適用例である。図１は、本実施形態の体毛処理装置を示す縦断面図、図２は、体毛処理装置を示す分解斜視図、図３は、体毛処理装置の上部を拡大して示す縦断面図、図４は、吐出用ポンプを示し、（ａ）は、吸入状態の縦断面図、（ｂ）は、排出状態の縦断面図、図５は、吸入用ポンプを示し、（ａ）は、吸入状態の縦断面図、（ｂ）は、排出状態の縦断面図、図６は、シェービング動作を説明するための縦断面図である。
【００２２】
図１に示すように、体毛処理装置１は、刃ブロック２と、この刃ブロック２を駆動する刃駆動部３と、処理剤Ａを肌面Ｂ（図６参照）に対して供給する剤供給部４と、肌面Ｂ上の処理剤Ａを除去する剤除去部５とを備え、これら刃ブロック２、刃駆動部３、剤供給部４、剤除去部５は、筐体６に取り付けられている。この体毛処理装置１は、刃ブロック２などにより構成されるヘッド部７と、刃駆動部３などにより構成されるグリップ部８とに区分されており、グリップ部８は、内部を防水させて構成されている。また、ヘッド部７は、グリップ部８の上部に着脱自在に設けられている。ここで、処理剤Ａは、体毛除去の際に用いられるものであり、例えば、シェービングローションやシェービングクリームなどである。
【００２３】
図２及び図３に示すように、筐体６は、ヘッド部７を構成する刃フレーム９と、グリップ部８を構成する筐体本体１０とを有している。
【００２４】
刃ブロック２は、並列配置された体毛処理部である３つの刃部１１（１１Ａ，１１Ｂ，１１Ｃ）を有している。これら刃部１１は、肌面Ｂに対向した状態で体毛を除去するものである。３つの刃部１１のうち外側に位置する刃部１１Ａ，１１Ｃは、ネット刃部１１Ａ，１１Ｃであり、これらのネット刃部１１Ａ，１１Ｃの間に配置されているのがスリット刃部１１Ｂである。詳しくは、後述するが、これらの刃部１１に対しては、剤供給部４の吐出口２２と剤除去部５の吸入口３５とが配列配置されている。そして、一方のネット刃部１１Ａは、この列の端に位置している。なお、以降では、ネット刃部１１Ａ，１１Ｃのうちの一方を第１のネット刃部１１Ａ、他方を第２のネット刃部１１Ｃとも呼ぶ。
【００２５】
ネット刃部１１Ａ，１１Ｃは、ネット状の外刃１２とこの外刃１２の内側に配置された内刃１３とから構成されている。スリット刃部１１Ｂは、複数のスリットが形成された外刃１４とこの外刃１４の内側に配置された内刃１５とから構成されている。これら３つの刃部１１Ａ，１１Ｂ，１１Ｃは、筐体６に対してフロート自在に設けられている。各外刃１２，１４は、ヘッド部７に設けられている一方、各内刃１３，１５は、グリップ部８に設けられている。
【００２６】
刃駆動部３は、切断用モータ１６と、この切断用モータ１６の回転運動を往復動に変換する二組のネット用駆動子１７及びスリット用駆動子１８とを有している。ネット用駆動子１７は、ネット刃部１１Ａ，１１Ｃの内刃１３に連結される一方、スリット用駆動子１８は、スリット刃部１１Ｂの内刃１５に連結されている。したがって、切断用モータ１６の回転運動が各駆動子１７，１８を介して内刃１３，１５の往復動に変換されて、内刃１３，１５が外刃１２，１４に対して往復動し、内刃１３，１５と外刃１２，１４とによって体毛の切断処理が行なわれる。
【００２７】
剤供給部４は、処理剤Ａを貯蔵する剤容器１９と、吐出用モータ２０と、この吐出用モータ２０に駆動されて剤容器１９中の処理剤Ａを吸入して吐出する吐出ポンプ２１と、吐出ポンプ２１から吐出された処理剤Ａをヘッド部７から外部に吐出する吐出口２２と、を有している。
【００２８】
剤容器１９は、筐体本体１０の一側部に着脱自在に設けられている。剤容器１９の供給口１９ａは、第１の吐出チューブ２２の下端部に着脱自在に連結されており、剤容器１９は、第１の吐出チューブ２２を介して吐出ポンプ２１に連結されている。この剤容器１９は、筐体本体１０に着脱自在に設けられたカバー２３を取り外すことで露出するようになっており、これにより、筐体本体１０に対しての剤容器１９の着脱が可能となっている。
【００２９】
吐出ポンプ２１は、図４に示すように、ダイヤフラム式ポンプであり、ポンプケース２４内には、吐出用モータ２０に連結された偏心軸２５が配置されており、この偏心軸２５がダイヤフラム２６に回転自在に接続されている。そして、吐出用モータ２０の回転により、偏心軸２５を介してダイヤフラム２６を往復動させ、ダイヤフラム２６とポンプケース２４とで密閉されてなるポンプ室２７において、処理剤Ａを吸入及び排出させることで第１の吐出チューブ２２から吸入した処理剤Ａを第２の吐出チューブ２８に排出するようになっている。なお、図中２９、３０は、処理剤Ａの供給方向にのみ開口する逆止弁である。
【００３０】
吐出口２２は、図２に示すように、第１のネット刃部１１Ａとスリット刃部１１Ｂとの間に刃部１１に対して平行に配置された吐出口体３１の中央部に形成されている。即ち、吐出口２２は、第１のネット刃部１１Ａとスリット刃部１１Ｂとの間に位置しており、吐出口２２は、各刃部１１と共に肌面Ｂに対向可能となっている。そして、吐出口２２は、図２及び図３に示すように、吐出パイプ３２を介して第２の吐出チューブ２８に連結されている。したがって、剤供給部４では、吐出用モータ２０により吐出ポンプ２１が駆動されると、剤容器１９内に貯蔵されている処理剤Ａが、第１の吐出チューブ２２、吐出ポンプ２１、第２の吐出チューブ２８、吐出パイプ３２を通って吐出口２２に送られ、吐出口２２から外部に吐出される。
【００３１】
このような剤供給部４のうち、吐出口２２が形成された吐出口体３１と吐出パイプ３２とは、ヘッド部７に設けられている一方、剤容器１９と吐出ポンプ２１と吐出用モータ２０と第１の吐出チューブ２２と第２の吐出チューブ２８とは、グリップ部８に設けられている。ここで、吐出パイプ３２は、第２の吐出チューブ２８に対して着脱自在となっており、吐出パイプ３２は、グリップ部８に対するヘッド部７の着脱に際して、第２の吐出チューブ２８に着脱される。
【００３２】
剤除去部５は、肌面Ｂ上の処理剤Ａを吸入するための吸入口３５と、吸入用モータ３６と、この吸入用モータ３６に駆動され吸入口３５から肌面Ｂ上の処理剤Ａを吸入して吐出する吸入ポンプ３７と、この吸入ポンプ３７から吐出される処理剤Ａを貯蔵する回収容器３８とを有している。
【００３３】
吸入口３５は、刃部１１に平行に配置された吸入口体３９（図２）において内刃１３，１５の往復方向に沿って細長く形成されている。吸入口体３９は、吐出口体３１との間にスリット刃部１１Ｂと第２のネット刃部１１Ｃとが位置するように刃ブロック２の外側に配置されている。即ち、吸入口３５は、刃ブロック２の外側に配置されており、吸入口３５と吐出口２２との間にスリット刃部１１Ｂと第２のネット刃部１１Ｃとが位置している。そして、この吐出口２２は、各刃部１１と共に肌面Ｂに対向可能となっている。この吸入口３５の開口面積は、吐出口２２の開口面積よりも大きく設定されている。そして、この吐出口２２は、吸入パイプ４０及び第１の吸入チューブ４１を介して吸入ポンプ３７に連結されている。
【００３４】
ここで、吸入口３５の上面には、凹凸が設けられていることが望ましい。この構成により、吸入口３５による肌への吸着力が低下し肌滑りが良くなると共に、吸入口３５の外周縁が肌面Ｂに付着した処理剤Ａを押しのけることが抑制されるので、処理剤Ａをより吸入しやすくなる。
【００３５】
吸入ポンプ３７は、図５に示すように、吐出ポンプ２１と同様の構造のダイヤフラム式ポンプであり、吸入用モータ３６の回転により、偏心軸２５を介してダイヤフラム２６を往復動させ、ポンプ室２７において、処理剤Ａを吸入及び排出させることで第１の吸入チューブ４１から吸入した処理剤Ａを第２の吸入チューブ４２に排出するようになっている。なお、吸入ポンプ３７では、逆止弁２９、３０は、処理剤Ａの吸入方向にのみ開口する。この吸入ポンプ３７の吸入／吐出力は、吐出ポンプ２１よりも大きく設定されている。即ち、本実施形態では、処理剤Ａを吐出能力よりも処理剤Ａを吸入する能力の方が高くなっている。
【００３６】
回収容器３８は、図２及び図３に示すように、筐体本体１０におけるカバー２３側とは反対側の側部に設けられている。剤容器１９は、その上部に設けられた収容口３８ａが第２の吸入チューブ４２の下端部に連結されており、吸入ポンプ３７から吐出された処理剤Ａが収容口３８ａから流入する構造となっている。この回収容器３８の側壁の上部には、排気口３８ｂが設けられており、回収容器３８内に、処理剤Ａや空気が流入するのに応じて、回収容器３８内の空気が排気口３８ｂから排出され、吸入動作がスムーズに行なわれるようになっている。
【００３７】
回収容器３８の底壁には、貫通孔３８ｃが形成されると共に、この貫通孔３８ｃを開放／閉塞する蓋３８ｄが軸３８ｅを介して回動自在に設けられている。この蓋３８ｄは、ヘッド部７が下側になるように体毛処理装置１が上下逆さまにされた状態で、自重によって回収容器３８の内側へ開くようになっている。この蓋３８ｄは、貫通孔３８ｃと共に、外部装置による洗浄を受け付ける被洗浄構造３８ｆを構成している。この被洗浄構造３８ｆを用いての剤除去部５の洗浄方法は、後述する別の実施形態で詳述する。
【００３８】
この構造の剤除去部５では、吸入用モータ３６により吸入ポンプ３７が駆動されると、吸入ポンプ３７の吸引力によって吸入口３５から吸入した処理剤Ａが、吸入パイプ４０、第１の吐出チューブ２２、吸入ポンプ３７、第２の吸入チューブ４２を通って、回収容器３８に回収される。
【００３９】
このような剤除去部５のうち吸入口３５が形成された吸入口体３９と吸入パイプ４０とは、ヘッド部７に設けられている一方、回収容器３８と吸入ポンプ３７と吸入用モータ３６と第１の吸入チューブ４１と第２の吸入チューブ４２とは、グリップ部８に設けられている。ここで、吸入パイプ４０は、第１の吸入チューブ４１に対して着脱自在となっており、吸入パイプ４０は、グリップ部８に対するヘッド部７の着脱に際して、第２の吸入チューブ４２に着脱される。
【００４０】
また、図２に示すように、ヘッド部７のうち、外刃１２,１４と、吐出口２２が形成された吐出口体３１と、吐出パイプ３２と、吸入口３５が形成された吸入口体３９と、吸入パイプ４０とは、刃フレーム９に取り付けられて外刃ユニット９１を構成しており、この外刃ユニット９１は、グリップ部８に対して着脱自在となっている。この構造によって、ヘッド部７の洗浄の容易化が図られている。
【００４１】
また、グリップ部８には、各モータへ電力を供給する電源である電池や、体毛処理装置１の各部を駆動制御する制御回路が内蔵されている。また、グリップ部８の外面には、図示しないスイッチが設けられている。
【００４２】
このような構成において、図６に示すように、ヘッド部７を肌面Ｂに当てた状態でスイッチがＯＮ操作されると、吐出用モータ２０、切断用モータ１６、吸入用モータ３６が駆動され、剤容器１９の処理剤Ａが吐出ポンプ２１によって吐出口２２から肌面Ｂに吐出されて肌面Ｂに処理剤Ａが塗布されると共に、刃部１１（１１Ａ，１１Ｂ，１１Ｃ）によって体毛の切断がなされる。そして、肌面Ｂに残った不要な処理剤Ａが吸入口３５から吸入用モータ３６によって吸入によって除去され、回収容器３８に回収される。
【００４３】
以上説明したように、本実施形態では、肌面Ｂに残った不要な処理剤Ａが剤除去部５によって回収されるので、肌面Ｂに供給した処理剤Ａによる、濡れ感や、冷たさ感、べとつき感等の使用者の不快感を軽減することができる。また、肌面Ｂに残った不要な処理剤Ａが剤除去部５によって除去されるので、使用者が処理剤Ａを取り除くために顔を洗う必要がなく、その分の手間を省くことができる。また、肌面Ｂに残った不要な処理剤Ａが剤除去部５によって回収されるので、処理剤Ａや髭くずの飛び散りも抑制することができ、よって、顔や衣服の汚れを防止することができる。
【００４４】
また、本実施形態によれば、吐出口２２と吸入口３５との間にスリット刃部１１Ｂと第２のネット刃部１１Ｃとが配置されていることにより、体毛処理装置１を肌面Ｂに沿って移動させて除毛処理を行うときに、吐出口２２が前側、吸入口３５が後側となる方向ａ（図６）に体毛処理装置１を移動させることで、吐出口２２と吸入口３５との間に位置するスリット刃部１１Ｂ及び第２のネット刃部１１Ｃと肌面Ｂとの間に確実に処理剤Ａを介在させることができ、これにより、肌面Ｂに対するスリット刃部１１Ｂ及び第２のネット刃部１１Ｃの接触状態を良好なものとすることができると共に、スリット刃部１１Ｂ及び第２のネット刃部１１Ｃの後方に位置する不要な処理剤Ａを剤除去部５によって除去することができる
また、本実施形態によれば、第１のネット刃部１１Ａが列の端に位置していることにより、この第１のネット刃部１１Ａに対する視認性が良くなる。また、第１のネット刃部１１Ａが列の端に位置していることにより、この第１のネット刃部１１Ａによって、鼻下などのキワ部の肌面Ｂに対する除毛処理を容易に行うことができ、キワ部の除毛処理においてもきれいな仕上がりを得ることができる。
【００４５】
また、本実施形態によれば、吸入口３５の開口面積が吐出口２２の開口面積よりも大きく設定されていることにより、剤供給部４によって肌面Ｂに供給した処理剤Ａを、より確実に剤除去部５によって除去することができる。
【００４６】
また、本実施形態によれば、吸入ポンプ３７の吸込能力が、吐出ポンプ２１の吐出能力よりも高く設定されていることにより、剤供給部４によって肌面Ｂに供給した処理剤Ａを、より確実に剤除去部５によって除去することができる。
【００４７】
なお、吸入口３５や吐出口２２は、刃部１１と同様に、筐体６に対してフロート自在に設けてもよい。この構成により、吐出口２２及び吸入口３５を肌面Ｂに確実に追従させることができ、処理剤Ａの吐出及び吸入をより確実に行なうことができるようになる。
【００４８】
[第２の実施形態]
本発明の第２の実施形態を図７に基づいて説明する。前述した実施形態と同じ部分は、同一符号で示し説明も省略する（以降の実施形態でも同様）。図７は、本実施形態の体毛処理装置のヘッド部を示す斜視図である。
【００４９】
本実施形態では、ヘッド部１０７が第１の実施形態に対して異なる。本実施形態のヘッド部１０７では、吸入口３５が形成された吸入口体３９が第１のネット刃部１１Ａとスリット刃部１１Ｂとの間に配設されている。そして、吐出口２２が形成された吐出口体３１が、スリット刃部１１Ｂと第２のネット刃部１１Ｃとが位置するように刃ブロック２の外側に配置されている。
【００５０】
このような構成によっても、第１の実施形態と同様に、肌面Ｂに残った不要な処理剤Ａが剤除去部５によって除去されるので、肌面Ｂに供給した処理剤Ａによる、濡れ感や、冷たさ感、べとつき感等の使用者の不快感を軽減することができる。
【００５１】
[第３の実施形態]
本発明の第３の実施形態を図８に基づいて説明する。図８は、本実施形態の体毛処理装置のヘッド部を示す斜視図である。
【００５２】
本実施形態では、ヘッド部２０７が第１の実施形態に対して異なる。本実施形態のヘッド部２０７では、吸入口３５が形成された一対の吸入口体３９が、３つの刃部１１Ａ，１１Ｂ，１１Ｃに平行に配置された状態で、刃ブロック２を挟んで配置されている。これらの各吸入口３５は、それぞれ吸入パイプ４０に接続されている。そして、吐出口２２が形成された吐出口体３１が、スリット刃部１１Ｂと第２のネット刃部１１Ｃとの間に配置されている。即ち、本実施形態では、一対の吸入口３５間に吐出口２２及び刃部１１Ａ，１１Ｂ，１１Ｃが配置されている。
【００５３】
このような構成によれば、一対の吸入口３５間に吐出口２２及び刃部１１Ａ，１１Ｂ，１１Ｃが配置されていることにより、それら吸入口３５の対向方向に沿って体毛処理装置２０１を移動させて除毛処理を行うことにより、どちら側の吸入口３５を先頭にして体毛処理装置２０１を移動させても剤除去部５によって肌面Ｂの処理剤Ａを確実に除去することができる。
【００５４】
[第４の実施形態]
本発明の第４の実施形態を図９に基づいて説明する。図９は、本実施形態の体毛処理装置のヘッド部を示す斜視図である。
【００５５】
本実施形態では、ヘッド部３０７が第１の実施形態に対して異なる。本実施形態のヘッド部３０７では、上面視で矩形状の枠状に形成された吸入口体３３９が刃ブロック２及び吐出口体３１を囲繞して配置されている。そして、この吸入口体３３９の４辺には、それぞれ吸入口３５が形成されている。即ち、これらの吸入口３５は、３つの刃部１１及び吐出口２２を囲って配置されている。これらの各吸入口３５は、それぞれ吸入パイプ４０に接続されている。吐出口体３１は、スリット刃部１１Ｂと第２のネット刃部１１Ｃとの間に配置されている。
【００５６】
このような構成によれば、吸入口３５が、３つの刃部１１及び吐出口２２を囲って配置されていることにより、どの方向に体毛処理装置３０１を移動させても吸入口３５によって肌面Ｂの処理剤Ａを確実に除去することができ、よって、使用者は処理剤Ａを除去させるために体毛処理装置３０１の移動方向を意識する必要がない。
【００５７】
[第５の実施形態]
本発明の第５の実施形態を図１０に基づいて説明する。図１０は、本実施形態の体毛処理装置を示す斜視図である。
【００５８】
本実施形態は、まず、体毛処理装置４０１の刃部４１１が回転式刃部である点が第１の実施形態に対して異なる。ヘッド部４０７における肌面Ｂへの対向面４０７ａは、略三角状をなしており、３つの刃部４１１が対向面４０７ａの中心を囲って互いに等間隔で配置されている。これらの刃部４１１は、円形の外刃４１２と、この外刃４１２の内側に配設された回転刃である円形の内刃（図示せず）とから構成されており、内刃が回転動することにより、外刃４１２と内刃とで体毛を切断する。
【００５９】
吐出口２２を含む吐出口体４３１は、対向面４０７ａの中心部に位置しており、吐出口２２は、その周囲を、３つの刃部４１１に囲まれている。
【００６０】
また、吸入口体４３９は、３つの刃部４１１を囲繞した形状に形成されている。そして、この吸入口体４３９には、複数の吸入口３５が全周に亘って略等間隔に形成されている。即ち、これらの吸入口３５は、３つの刃部４１１の周囲に位置している。これらの各吸入口３５は、それぞれ吸入パイプ４０に接続されている。
【００６１】
また、剤供給部４０４の剤容器４１９と、剤除去部４０５の回収容器４３８とは、グリップ部４０６の両側部に相対向して配置されている。なお、図中ＳＷは、スイッチである。
【００６２】
このような構成によれば、外刃４１２が吐出口２２の周囲に位置する一方、吸入口３５が外刃４１２の周囲に位置していることにより、どの方向に体毛処理装置４０１を移動させても剤除去部４０５によって肌面Ｂの処理剤Ａを確実に除去することができる。よって、使用者は処理剤Ａを除去させるために体毛処理装置４０１の移動方向を意識する必要がない。
【００６３】
[第６の実施形態]
本発明の第６の実施形態を図１１に基づいて説明する。図１１は、本実施形態の体毛処理装置を示す斜視図である。
【００６４】
まず、本実施形態は、体毛処理装置５０１の刃部５１１が回転式刃部である点が第１の実施形態に対して異なる。ヘッド部５０７における肌面Ｂへの対向面５０７ａが略円状をなしており、刃部５１１は、一つのみ設けられている。この刃部５１１は、ドーナツ状の外刃５１２とこの外刃５１２の内側に配設された回転刃である内刃（図示せず）とから構成されており、内刃が回転動することにより、外刃５１２と内刃とで体毛を切断する。
【００６５】
吐出口２２を含む吐出口体５３１は、対向面５０７ａの中心部、即ち、外刃５１２の内周側に配置されており、これにより、外刃５１２が吐出口２２の周囲に位置している。
【００６６】
また、吸入口体５３９は、刃部５１１を囲繞したリング状に形成されている。そして、この吸入口体５３９には、複数の吸入口３５が全周に亘って略等間隔に形成されている。即ち、これらの吸入口３５は、刃部４１１の周囲に位置している。これらの各吸入口３５は、それぞれ吸入パイプ４０に接続されている。
【００６７】
また、剤供給部５０４の剤容器５１９と、剤除去部５０５の回収容器５３８とは、グリップ部５０６の両側部に相対向して配置されている。
【００６８】
このような構成によれば、外刃５１２が吐出口２２の周囲に位置する一方、吸入口３５が外刃５１２の周囲に位置していることにより、どの方向に体毛処理装置５０１を移動させても剤除去部５０５によって肌面Ｂの処理剤Ａを確実に除去することができる。よって、使用者は処理剤Ａを除去させるために体毛処理装置５０１の移動方向を意識する必要がない。
【００６９】
[第７の実施形態]
本発明の第７の実施形態を図１２に基づいて説明する。図１２は、本実施形態の体毛処理装置１を示す縦断面図である。
【００７０】
本実施形態の体毛処理装置６０１は、剤除去部６０５が第１の実施形態に対して異なる。本実施形態の剤除去部６０５は、筐体６０６の他側部に設けられた収納部６０７に、ファン６０８と、このファン６０８を回転駆動するファンモータ６０９とが配設されて構成されている。収納部６０７の上面には、除去対向部である送風口６０７ａが形成されていると共に、側壁には、吸気口６０７ｂが形成されている。送風口６０７ａは、第１の実施形態の吸入口３５と同じく刃ブロック２の外側に位置している。そして、この送風口６０７ａは、刃部１１と共に肌面Ｂに対向可能となっており、これにより、ファン６０８による送風口６０７ａからの肌面Ｂへの送風が可能となっている。
【００７１】
この構造では、ファンモータ６０９により回転駆動されたファン６０８によって、吸気口６０７ｂから吸入した空気が送風口６０７ａから肌面Ｂに送られ、これにより、肌面Ｂ上の処理剤Ａを乾燥させて除去する。
【００７２】
このような構成によれば、肌面Ｂに残った不要な処理剤Ａが剤除去部６０５によって除去されるので、第１の実施形態と同様に、肌面Ｂに供給した処理剤Ａによる、濡れ感や、冷たさ感、べとつき感等の使用者の不快感を軽減することができる。
【００７３】
[第８の実施形態]
本発明の第８の実施形態を図１３に基づいて説明する。図１３は、本実施形態の体毛処理装置を示す縦断面図である。
【００７４】
本実施形態の体毛処理装置７０１は、剤除去部７０５が第１の実施形態に対して異なる。本実施形態の剤除去部７０５は、筐体７０６に上面開口で形成された凹状の固定部７０７に配設されると共にこの固定部７０７から上方へ突出した発泡体７０８により構成されている。この発泡体７０８は、第１の実施形態の吸入口３５と同じく刃ブロック２の外側に位置している。そして、この発泡体７０８は、除去対向部としての突出端部７０８ａが刃部１１と共に肌面Ｂに対して対向可能となっている。
【００７５】
この構造では、発泡体７０８の突出端部７０８ａが肌面Ｂに摺接することにより、発泡体７０８が肌面Ｂ上の不要な処理剤Ａを吸収して除去する。
【００７６】
このような構成によれば、肌面Ｂに残った不要な処理剤Ａが剤除去部７０５によって除去されるので、第１の実施形態と同様に、肌面Ｂに供給した処理剤Ａによる、濡れ感や、冷たさ感、べとつき感等の使用者の不快感を軽減することができる。
【００７７】
[第９の実施形態]
本発明の第９の実施形態を図１４に基づいて説明する。図１４は、本実施形態の体毛処理装置を洗浄装置と共に示す縦断面図である。
【００７８】
本実施形態の体毛処理装置８０１の基本構成は、第１の実施形態の体毛処理装置１と同じであるが、剤供給部８０４及び剤除去部８０５の全体が筐体８０６の外側に配置され点や、剤供給部８０４の吐出口２２と剤除去部８０５の吸入口３５とで刃部８１１を挟み込んだ構造となっている点などが第１の実施形態の体毛処理装置１に対して異なる。そして、この体毛処理装置８０１は、外部装置である洗浄・供給装置９０１による処理剤Ａの供給及び剤除去部８０５の洗浄が可能となっている。
【００７９】
体毛処理装置８０１の剤容器８１９の底部には、剤容器８１９の内外を連通させるための逆止弁８２０が設けられており、通常時は、逆止弁８２０が閉まった状態となっている。
【００８０】
そして、この逆止弁が、剤容器８１９への処理剤Ａの供給を受け付ける被供給構造を構成している。
【００８１】
また、剤除去部８０５は、第１の実施形態で説明したように、回収容器３８に、蓋３８ｄと貫通孔３８ｃとから構成された被洗浄構造３８ｆを有している。これにより、外部装置である洗浄・供給装置９０１による剤除去部８０５の洗浄を受け付けている。
【００８２】
次に、洗浄・供給装置９０１について説明する。洗浄・供給装置９０１は、体毛処理装置８０１を着脱自在に保持する保持部９１１と、この保持部９１１に保持された体毛処理装置８０１のヘッド部８０７を洗浄する洗浄部９１２と、洗浄後のヘッド部８０７を乾燥させる乾燥部９１４と、これら洗浄部９１２、乾燥部９１４が設けられた筐体９１５とを備えている。
【００８３】
洗浄部９１２は、気密に形成され洗浄液Ｃを貯留するタンク９１６と、タンク９１６から供給される洗浄液Ｃを一時的に貯留する洗浄皿９１７と、この洗浄皿９１７から排出される洗浄液Ｃを濾過するフィルタ部９１８と、このフィルタ部９１８から排出される洗浄液Ｃをタンク９１６に戻して洗浄液Ｃを洗浄部９１２内で循環させるポンプ９１９と、を備えている。
【００８４】
タンク９１６には、タンク９１６に貯留されている洗浄液Ｃを洗浄皿９１７に吐出する吐出パイプ９２０と、タンク９１６に洗浄液Ｃを供給するための供給パイプ９２１と、タンク９１６の内圧を調整する弁装置９２２とが設けられている。
【００８５】
吐出パイプ９２０の吸入口９２０ａは、タンク９１６内の洗浄液Ｃ中に浸されている一方、吐出パイプ９２０の吐出口９２０ｂは、洗浄皿９１７に洗浄液Ｃを供給可能にタンク９１６の外部に配置されている。詳しくは、吐出口９２０ｂは、洗浄位置に位置する体毛処理装置８０１の回収容器３８の底部に形成された貫通孔３８ｃの上方に位置し、その貫通孔３８ｃ内に洗浄液Ｃを吐出するようになっている。このようにして回収容器３８に流入した洗浄液Ｃは、剤除去部８０５を通って、洗浄皿９１７に至る。
【００８６】
供給パイプ９２１は、ポンプ９１９の吐出側とタンク９１６内とを連通している。
【００８７】
弁装置９２２は、電磁弁９２３とこの電磁弁９２３を介してタンク９１６内外を連通する連通パイプ９２４とから構成されている。
【００８８】
洗浄皿９１７は、上面開口に形成されると共に、その底壁には、排出口９１７ａが形成されている。
【００８９】
フィルタ部９１８は、洗浄皿９１７の下方に連設されている。フィルタ部９１８は、フィルタケース９２５内にフィルタ９２６が設けられて構成されている。フィルタケース９２５の上壁には、洗浄皿９１７の排出口９１７ａに連通した流入口９２５ａが形成される一方、フィルタケース９２５の側壁には、排出口９２５ｂが設けられており、この排出口９２５ｂが接続パイプ９２７を介してポンプ９１９に接続されている。
【００９０】
この洗浄部９１２では、電磁弁９２３が閉じられた状態で気密性が保たれたタンク９１６内に、ポンプ９１９から洗浄液Ｃや空気がタンク９１６に供給されることにより、タンク９１６の内圧が上昇し、タンク９１６内の洗浄液Ｃが吐出パイプ９２０から洗浄皿９１７に吐出される。一方、電磁弁９２３が開かれた状態で、ポンプ９１９から洗浄液Ｃ又は空気がタンク９１６に供給された場合には、タンク９１６内の空気が、連通パイプ９２４からタンク９１６の外部へ排気される。この場合には、洗浄液Ｃが吐出パイプ９２０から吐出されることがない。したがって、このときには、洗浄皿９１７の洗浄液Ｃがタンク９１６内に回収される。
【００９１】
乾燥部９１４は、ファンケース９３４と、このファンケース９３４に内蔵されたファン９３５と、ファンケース９３４に内蔵されてファン９３５を回動駆動するファンモータ（図示せず）と、ファンケース９３４に内蔵された熱線（図示せず）とから構成されている。
【００９２】
ファンケース９３４には、空気を吸い込む吸込口（図示せず）と、空気を送風する送風口９３４ａとが設けられている。送風口９３４ａは、後方斜め下方に向けて開口しており、後述するように保持部９１１によってセット位置に位置付けられたヘッド部８０７に対向する位置に設けられている。
【００９３】
この乾燥部９１４では、通電された熱線が発熱した状態で、ファンモータによってファン９３５が回動駆動されることにより、吸込口から吸いこんだ空気を熱線によって暖めて送風口９３４ａからヘッド部８０７に送風する。
【００９４】
保持部９１１は、タンク９１６の上面に立設された支持部９３８と、この支持部９３８に軸９３９を介して回動自在に設けられると共に体毛処理装置８０１を着脱自在に保持するアーム部９４０とを有している。
【００９５】
アーム部９４０は、上下逆さまの状態の体毛処理装置８０１を保持するものであり、体毛処理装置８０１の背面と底面とに沿った形状に形成されそれら背面と底面とを支持する支持壁９４０ａが形成されている。この支持壁９４０ａには、体毛処理装置８０１の背面に形成された２つの嵌合凹部８９０及び底面に形成された１つの嵌合凹部８９０に取り外し可能に嵌合する嵌合凸部９４０ｂが立設されている。
【００９６】
このアーム部９４０は、保持した体毛処理装置８０１のヘッド部８０７が乾燥部９１４の送風口９３４ａに対向するセット位置（図示せず）と、体毛処理装置８０１のヘッド部８０７が洗浄部９１２の洗浄皿９１７中に位置する洗浄位置（図１４）との間で回動自在となっており、モータ（図示せず）によって回動駆動される。
【００９７】
また、体毛処理装置８０１の底面に設けられた嵌合凹部８９０と、この嵌合凹部８９０に対応する保持部９１１の嵌合凸部９４０ｂには、それぞれ接続端子（図示せず）が設けられている。そして、アーム部９４０に体毛処理装置８０１が固定されることにより、それら接続端子同士が接続され、これにより、例えば商用電源に接続された洗浄・供給装置９０１から体毛処理装置８０１へ電気が供給されて、体毛処理装置８０１が充電されるようになっている。
【００９８】
この保持部のアーム部９４０には、体毛処理装置８０１の剤供給部８０４に処理剤Ａを供給する剤供給部９７１が設けられている。剤供給部９７１は、処理剤Ａを貯蔵する剤容器９７２と、この剤容器９７２の内部に吸引側が接続されたポンプ９７３と、このポンプ９７３の吐出側に接続された剤吐出口９７４とから構成されている。剤容器９７２は、アーム部９４０に対して着脱自在に設けられている。剤吐出口９７４は、体毛処理装置８０１の剤容器８１９の逆止弁８２０に差し込まれることにより、逆止弁８２０を開弁させる。
【００９９】
次に、洗浄・供給装置９０１が実行する処理を説明する。洗浄・供給装置９０１のメインスイッチ９４３がＯＮ操作された場合には、洗浄・供給装置９０１は、ヘッド部８０７の洗浄を行なう。具体的には、モータを駆動して、体毛処理装置８０１を保持したアーム部９４０をセット位置から洗浄位置に回動する。次に、ポンプ９１９を駆動して、タンク９１６内の洗浄液Ｃを体毛処理装置８０１の剤除去部８０５を介して洗浄皿９１７に供給して、ヘッド部８０７を洗浄液Ｃ中に浸す。
【０１００】
このとき、洗浄液Ｃは、洗浄皿９１７の排出口９１７ａから微量ずつフィルタケース９２５内に排出され、フィルタ９２６によって濾過される。濾過された洗浄液Ｃは、ポンプ９１９によって再びタンク９１６に戻される。そして、タンク９１６に戻された洗浄液Ｃの量と同じ量の洗浄液Ｃがタンク９１６の吐出パイプ９２０から洗浄皿９１７に供給される。このとき、ポンプ９１９は、洗浄皿９１７から洗浄液Ｃが溢れないように駆動制御される。このようにして、洗浄液Ｃが、ポンプ９１９によって洗浄部９１２中を循環される。そして、ヘッド部８０７が洗浄皿９１７の洗浄液Ｃに浸った状態を規定時間維持することにより、体毛処理装置８０１のヘッド部８０７に付着している髭屑や皮脂などがヘッド部８０７から取り除かれ、ヘッド部８０７が洗浄される。このとき、例えば、体毛処理装置８０１の刃部８１１の内刃を駆動してヘッド部８０７を振動させることにより、洗浄効果をいっそう上げることができる。また、このとき、洗浄液Ｃ中の髭屑や皮脂などは、フィルタ９２６によって除去されるので、きれいな洗浄液Ｃによってヘッド部８０７を確実に洗浄することができる。
【０１０１】
この洗浄処理においては、吐出パイプ９２０の吐出口９２０ｂから、体毛処理装置８０１の回収容器３８の貫通孔３８ｃ内に洗浄液Ｃが吐出され、この洗浄液Ｃは、体毛処理装置８０１の剤除去部８０５内を通り、吸入口３５から洗浄皿９１７に吐出される。これにより、洗浄液Ｃによって、体毛処理装置８０１の剤除去部８０５の洗浄がなされる。
【０１０２】
また、この洗浄処理の際には、剤供給部９７１のポンプ９７３が駆動され、剤容器９７２中の処理剤Ａが剤吐出口９７４から、体毛処理装置８０１の剤容器８１９内へ供給される。
【０１０３】
次に、このような洗浄及び剤補給処理を行なった後、ポンプ９１９を駆動した状態で、電磁弁９２３を開弁させて、洗浄皿９１７の洗浄液Ｃを全てタンク９１６へ戻し、洗浄皿９１７を空にすると共に、モータを駆動して、体毛処理装置８０１を保持したアーム部９４０をセット位置から洗浄位置に回動する。
【０１０４】
次に、乾燥部９１４のファンモータを駆動して送風口９３４ａから温風をヘッド部８０７に吹き付けて、ヘッド部８０７の余分な水分（洗浄液Ｃ）を蒸発させて、ヘッド部８０７を乾燥させる。
【０１０５】
この処理中には、洗浄・供給装置９０１の接続端子から体毛処理装置８０１の接続端子へ電気が供給されて、体毛処理装置８０１が充電される。
【０１０６】
そして、このように処理剤Ａが供給された体毛処理装置８０１によってシェービング動作を行なう際には、使用者は、体毛処理装置８０１を保持部９１１から取り外して、ヘッド部８０７を肌面Ｂに当ててシェービング動作を行なうこととなる。
【０１０７】
以上説明したように、本実施形態によれば、体毛処理装置８０１の剤除去部８０５が、洗浄・供給装置９０１による洗浄を受け付ける被洗浄構造３８ｆを有する一方、剤供給部８０４が、剤容器８１９への処理剤Ａの供給を受け付ける被供給構造としての逆止弁８２０とを有することにより、剤除去部８０５を洗浄・供給装置９０１によって洗浄することができると共に、洗浄・供給装置９０１によって剤供給部８０４に処理剤Ａを供給することができるので、それらの作業を容易に行うことができる。
【０１０８】
なお、本発明は、上記の実施形態に限ることなく本発明の要旨を逸脱しない範囲で他の実施形態を各種採用することができる。例えば、上記の実施形態では、体毛処理装置として電気かみそりへの適用例を説明したが、体毛処理装置としては、爪を用いて体毛を脱毛する脱毛装置であってもよい。
【図面の簡単な説明】
【０１０９】
【図１】本発明の第１の実施形態の体毛処理装置を示す縦断面図である。
【図２】体毛処理装置を示す分解斜視図である。
【図３】体毛処理装置の上部を拡大して示す縦断面図である。
【図４】吐出用ポンプを示し、（ａ）は、吸入状態の縦断面図、（ｂ）は、排出状態の縦断面図である。
【図５】吸入用ポンプを示し、（ａ）は、吸入状態の縦断面図、（ｂ）は、排出状態の縦断面図である。
【図６】シェービング動作を説明するための縦断面図である。
【図７】本発明の第２の実施形態の体毛処理装置のヘッド部を示す斜視図である。
【図８】本発明の第３の実施形態の体毛処理装置のヘッド部を示す斜視図である。
【図９】本発明の第４の実施形態の体毛処理装置のヘッド部を示す斜視図である。
【図１０】本発明の第５の実施形態の体毛処理装置を示す斜視図である。
【図１１】本発明の第６の実施形態の体毛処理装置を示す斜視図である。
【図１２】本発明の第７の実施形態の体毛処理装置を示す縦断面図である。
【図１３】本発明の第８の実施形態の体毛処理装置を示す縦断面図である。
【図１４】本発明の第９の実施形態の体毛処理装置を洗浄・供給装置と共に示す縦断面図である。
【符号の説明】
【０１１０】
１…体毛処理装置
４…剤供給部
５…剤除去部
１１（１１Ａ，１１Ｂ，１１Ｃ）…刃部（体毛処理部）
１２…外刃
１３…内刃
１４…外刃
１５…内刃
２２…吐出口
３５…吸入口（除去対向部）
３８ｆ…被洗浄構造
２０１…体毛処理装置
３０１…体毛処理装置
４０１…体毛処理装置
４０４…剤供給部
４０５…剤除去部
４１１…刃部（体毛処理部）
４１２…外刃
５０１…体毛処理装置
５０４…剤供給部
５０５…剤除去部
５１１…刃部（体毛処理部）
５１２…外刃
６０１…体毛処理装置
６０５…剤除去部
６０７ａ…送風口（除去対向部）
７０１…体毛処理装置
７０５…剤除去部
７０８ａ…発泡体の突出端部（除去対向部）
８０１…体毛処理装置
８０４…剤供給部
８０５…剤除去部
８１１…刃部（体毛処理部）
８２０…逆止弁（被供給構造）
Ａ…処理剤
Ｂ…肌面
【図１】
0004595768.tif 000002
【図２】
0004595768.tif 000003
【図３】
0004595768.tif 000004
【図４】
0004595768.tif 000005
【図５】
0004595768.tif 000006
【図６】
0004595768.tif 000007
【図７】
0004595768.tif 000008
【図８】
0004595768.tif 000009
【図９】
0004595768.tif 000010
【図１０】
0004595768.tif 000011
【図１１】
0004595768.tif 000012
【図１２】
0004595768.tif 000013
【図１３】
0004595768.tif 000014
【図１４】
0004595768.tif 000015